(57)【要約】【課題】  本発明は、カラー画像の解像度を維持したまま、送信するデータのサイズを小さくすることができると共に、処理が単純な画像情報読取装置、画像情報送信システムおよび画像情報読取方法を提供することを目的とする。【解決手段】  本発明の画像情報読取装置２０は、原稿の画像データをカラー画像として読み取り、非圧縮データとして出力する画像読取手段２１と、非圧縮データをカラー画像部と白黒画像部とに区分して区分情報を出力する区分手段２２と、非圧縮データのカラー画像部のデータを白を示すデータに置換して白黒二値画像データに変換して出力する変換手段２３と、区分情報と、カラー画像部の非圧縮データと、白黒二値画像データと、を出力する出力手段２４と、を備える。【選択図】      図２
2012227776.tif 000002
【特許請求の範囲】
【請求項１】
原稿の画像データをカラー画像として読み取り、非圧縮データとして出力する画像読取手段と、
前記非圧縮データをカラー画像部と白黒画像部とに区分して区分情報を出力する区分手段と、
前記非圧縮データの前記カラー画像部のデータを白を示すデータに置換して白黒二値画像データに変換して出力する変換手段と、
前記区分情報と、前記カラー画像部の非圧縮データと、前記白黒二値画像データと、を出力する出力手段と、
を備える画像情報読取装置。
【請求項２】
前記区分手段は、前記カラー画像部を所定の形状に区分する、請求項１記載の画像情報読取装置。
【請求項３】
前記非圧縮データは、ビットマップデータである、請求項１または２記載の画像情報読取装置。
【請求項４】
前記区分手段は、前記ビットマップデータの各画素の３原色データの色相、彩度、明度を用いてカラー画像部または白黒画像部に区分する、請求項３記載の画像情報読取装置。
【請求項５】
前記区分手段は、前記ビットマップデータの左上の画素を原点とした時のＸ−Ｙ座標、または、該原点からのオフセット量を用いて、前記区分情報を生成する、請求項３または４記載の画像情報読取装置。
【請求項６】
前記変換手段は、前記ビットマップデータの各画素の３原色データの明度が、所定の閾値より大きい場合は白、小さい場合は黒とすることにより、前記白黒二値画像データに変換する、請求項３乃至５のいずれか１項記載の画像情報読取装置。
【請求項７】
前記変換手段は、前記白黒二値画像データに変換する代わりに、カラー高圧縮データ形式に変換する、請求項１乃至６のいずれか１項記載の画像情報読取装置。
【請求項８】
前記区分情報、カラー画像部の非圧縮データおよび白黒二値画像データを含んだ原稿の画像情報を出力する請求項１乃至７のいずれか１項記載の画像情報読取装置と、
前記出力された原稿の画像情報を受信した場合、受信した区分情報を用いて白黒二値画像データとカラー画像部の非圧縮データとを合成し、前記原稿の画像データを生成する画像情報受信装置と、
を備える画像情報送信システム。
【請求項９】
原稿の画像データをカラー画像として読み取り、非圧縮データとして出力し、
前記非圧縮データをカラー画像部と白黒画像部とに区分して区分情報を出力し、
前記非圧縮データの前記カラー画像部のデータを白を示すデータに置換して白黒二値画像データに変換して出力し、
前記区分情報と、前記カラー画像部の非圧縮データと、前記白黒二値画像データと、を出力する、
画像情報読取方法。
【発明の詳細な説明】
【技術分野】
【０００１】
本発明は、原稿から画像データを読み取る技術に関する。特に、写真やイラスト等のカラー領域と、文字等の白黒領域とが混在する原稿から画像データを読み取る技術に関する。
【背景技術】
【０００２】
写真やイラスト等のカラー領域と、文字等の白黒領域とが混在する原稿を画像読取装置によって読み取り、パソコン等の外部記憶装置へ送信する場合、写真やイラスト等のカラー領域は原稿内のほんの一部分であっても、カラーである必要のない文字部分も含めて原稿全体をカラー画像データとして読取り、送信していた。カラー画像はデータ量が多く、送信に時間がかかる。
【０００３】
特許文献１乃至４には、写真やイラスト等のカラー領域と、文字等の白黒領域とに分離し、それぞれを最適に加工して送信することによって、送信するデータ量を小さくする技術が開示されている。
【０００４】
例えば特許文献１の画像処理装置は、読み取った画像データから文字画像領域および図形画像領域を分離して写真画像領域を抽出すると共に、該写真画像領域の文字および図形画像領域に対応する部分を周辺画素で補間する。そして、特許文献１の画像処理装置は、文字画像領域のデータを二値化し、図形画像領域のデータをスムージング処理等した後で可逆圧縮処理し、写真画像領域のデータを解像度変換した後で非可逆圧縮処理する。その後、互いの領域の重ね合わせ順位を設定し、該設定した重ね合わせ順位に従って各データを合成して送信する。
【先行技術文献】
【特許文献】
【０００５】
【特許文献１】特開２００３−２８９４２７号公報
【特許文献２】特開平７−１１５５４７号公報
【特許文献３】特開平１０−２４３１３３号公報
【特許文献４】特開２００７−２８４０８号公報
【発明の概要】
【発明が解決しようとする課題】
【０００６】
特許文献１の画像処理装置の場合、文字画像領域、図形画像領域および写真画像領域のデータをそれぞれ画像種類に応じて最適に圧縮することから、送信するデータ量を小さくすることができる。しかし、写真等の場合、非可逆圧縮処理することによって解像度が低くなる。
【０００７】
また、特許文献１の技術は、各領域の重ね合わせ順位を設定する必要があり、領域の数が多い場合は処理が複雑になる。さらに、写真画像領域の文字画像領域および図形画像領域に対応する部分は周辺画素で補間されているため、例えば、濃い色を用いて補間された場合は文字画像領域または図形画像領域を合成した時、元の状態が再現されない場合がある。
【０００８】
本発明の目的は、上記課題に鑑み、カラー画像の解像度を維持したまま、送信するデータのサイズを小さくすることができると共に、処理が単純な画像情報読取装置、画像情報送信システムおよび画像情報読取方法を提供することにある。
【課題を解決するための手段】
【０００９】
上記目的を達成するために本発明に係る画像情報読取装置は、原稿の画像データをカラー画像として読み取り、非圧縮データとして出力する画像読取手段と、非圧縮データをカラー画像部と白黒画像部とに区分して区分情報を出力する区分手段と、非圧縮データのカラー画像部のデータを白を示すデータに置換して白黒二値画像データに変換して出力する変換手段と、区分情報と、カラー画像部の非圧縮データと、白黒二値画像データと、を出力する出力手段と、を備える。
【００１０】
上記目的を達成するために本発明に係る画像情報送信システムは、区分情報、カラー画像部の非圧縮データおよび白黒二値画像データを含んだ原稿の画像情報を出力する画像情報読取装置と、出力された原稿の画像情報を受信した場合、受信した区分情報を用いて白黒二値画像データとカラー画像部の非圧縮データとを合成し、原稿の画像データを生成する画像情報受信装置と、を備える。
【００１１】
上記目的を達成するために本発明に係る画像情報読取方法は、原稿の画像データをカラー画像として読み取り、非圧縮データとして出力し、非圧縮データをカラー画像部と白黒画像部とに区分して区分情報を出力し、非圧縮データのカラー画像部のデータを白を示すデータに置換して白黒二値画像データに変換して出力し、区分情報と、カラー画像部の非圧縮データと、白黒二値画像データと、を出力する。
【発明の効果】
【００１２】
上記構成とすることにより、カラー画像の解像度を維持したまま、送信するデータのサイズを小さくすることができると共に、処理が単純な画像情報読取装置、画像情報送信システムおよび画像情報読取方法を提供することができる。
【図面の簡単な説明】
【００１３】
【図１】本発明の第１の実施形態に係る画像情報送信システム１０のシステム構成図の一例である。
【図２】本発明の第１の実施形態に係る画像情報読取装置２０のブロック構成図の一例である。
【図３】本発明の第２の実施形態に係る画像情報送信システム１００のシステム構成図の一例である。
【図４】本発明の第２の実施形態に係る原稿の画像データの一例である。
【図５】本発明の第２の実施形態において、カラー画像領域を白ベタに置換した一例である。
【図６】本発明の第２の実施形態において、位置情報ファイルの生成方法の一例である。
【図７】本発明の第２の実施形態に係る画像情報送信システム１００の動作フローの一例である。
【図８】本発明の第２の実施形態に係る画像情報送信システム１００の動作を模式的に示した図の一例である。
【図９】本発明の第２の実施形態に係る画像情報送信システム１００の別の動作を模式的に示した図の一例である。
【発明を実施するための形態】
【００１４】
（第１の実施形態）
本発明の第１の実施形態に係る画像情報送信システムについて説明する。図１に、本実施形態に係る画像情報送信システム１０のシステム構成図の一例を示す。図１において、画像情報送信システム１０は、画像情報読取装置２０および画像情報受信装置３０を備える。
【００１５】
画像情報読取装置２０は、原稿の画像データをカラー画像として読み取り、読み取った画像データから区分情報、カラー画像部の非圧縮データおよび白黒二値画像データを生成して原稿の画像情報として画像情報受信装置３０へ送信する。
【００１６】
画像情報受信装置３０は、画像情報読取装置２０から原稿の画像情報を受信した場合、受信した区分情報を用いて白黒二値画像データとカラー画像部の非圧縮データとを合成し、原稿の画像データを生成する。
【００１７】
画像情報読取装置２０について詳細に説明する。画像情報読取装置２０のブロック構成図の一例を図２に示す。図２において、画像情報読取装置２０は、画像読取手段２１、区分手段２２、変換手段２３および出力手段２４を備える。
【００１８】
画像読取手段２１は、原稿の画像データをカラー画像として読み取り、読み取ったデータを圧縮せずにそのまま区分手段２２および変換手段２３へ出力する。
【００１９】
区分手段２２は、画像読取手段２１から非圧縮データが入力した場合、該非圧縮データをカラー画像部と白黒画像部とに区分し、区分情報を生成して変換手段２３および出力手段２４へ出力する。さらに、区分手段２２は、区分したカラー画像部の非圧縮データを出力手段２４へ出力する。
【００２０】
変換手段２３は、画像読取手段２１から非圧縮データが、区分手段２２から区分情報が入力した場合、非圧縮データのカラー画像部のデータを白を示すデータに置換する。さらに、変換手段２３は、白を示すデータに置換した非圧縮データを、白黒二値画像データに変換して出力手段２４へ出力する。
【００２１】
出力手段２４は、区分手段２２から入力した区分情報およびカラー画像部の非圧縮データ、変換手段２３から入力した白黒二値画像データを、原稿の画像情報として画像情報受信装置３０へ送信する。
【００２２】
以上のように、本実施形態に係る画像情報読取装置２０は、カラー画像として読み取った非圧縮データをカラー画像部と白黒画像部とに区分し、カラー画像部のデータは非圧縮データのまま、白黒画像部のデータはカラー画像部のデータを白を示すデータに置換した後で白黒二値画像データに変換した後、区分情報と一緒に画像情報受信装置３０へ送信する。この場合、カラー画像の解像度をそのまま維持することができると共に送信する画像情報のサイズを小さくすることができる。
【００２３】
さらに、非圧縮データのカラー画像部のデータを白を示すデータに置換する場合、処理が単純であり、合成時にカラー画像の非圧縮データを白黒二値画像データの白ベタ部へ挿入するだけで、原稿の画像データを再現することができる。
【００２４】
（第２の実施形態）
第２の実施形態について説明する。本実施形態に係る画像情報送信システムのシステム構成図の一例を図３に示す。図３において、本実施形態に係る画像情報送信システム１００は、画像読取装置２００および外部記憶装置３００を備える。画像読取装置２００の通信ポート２３０と外部記憶装置３００の通信ポート３３０とがケーブル等で接続されている。なお、画像読取装置２００および外部記憶装置３００間の通信は、ＵＳＢ（Universal Serial Bus: ユニバーサル・シリアル・バス）やＬＡＮ（Local Area Network：ローカル・エリア・ネットワーク）等のネットワーク接続を介しても良いし、画像読取装置２００と外部記憶装置３００とが無線通信を行うことでも良い。
【００２５】
図３に示すように、画像読取装置２００は、原稿読取部２１０、画像処理部２２０および通信ポート２３０を備える。他に、ＣＰＵ（Central Processing Unit）、メモリ、操作インターフェースおよび表示インターフェース等を備えるが、ここでは省略する。画像読取装置２００は、主としてスキャナが用いられる。
【００２６】
外部記憶装置３００は、ＯＳ（Operating System：オペレーティングシステム）３１０、専用ソフトウェア３２０および通信ポート３３０を備える。他に、ＣＰＵ、メモリ、操作インターフェース、表示インターフェース等を備えるが、ここでは省略する。外部記憶装置３００は、主としてパーソナルコンピュータが用いられる。
【００２７】
画像読取装置２００の原稿読取部２１０は、図４に示すような、カラー画像と白黒画像とを含んだ原稿を、高解像度（例えば６００ｄｐｉ）でカラー読取する。画像読取装置２００は、読み取ったカラー読取データを非圧縮のビットマップデータとして画像処理部２２０へ出力する。なお、読取画質等の設定や原稿の読取開始操作は、画像読取装置２００において行っても良いし、外部記憶装置３００からの指示に基づいて行っても良い。
【００２８】
画像処理部２２０は、原稿読取部２１０から受け取った非圧縮のビットマップデータをカラー画像部と白黒画像部とに区分する。そして、画像処理部２２０は、区分したカラー画像部を矩形で包含してカラー画像領域として設定すると共に、設定したカラー画像領域の非圧縮のビットマップデータに対する位置を示す情報（以下、位置情報ファイルと記載する。）を生成する。さらに、画像処理部２２０は、原稿読取部２１０から受け取った非圧縮のビットマップデータにおいて、図５に示すように、設定したカラー画像領域を白ベタで置き換え、白黒二値画像データに変換する。画像処理部２２０は、変換した白黒二値画像データ（以下、白黒画像ファイルと記載する。）、設定したカラー画像領域の非圧縮のビットマップデータ（以下、カラー画像ファイルと記載する。）および生成した位置情報ファイルを、通信ポート２３０を介して外部記憶装置３００へ送信する。
【００２９】
ここで、原稿の非圧縮のビットマップデータをカラー画像部と白黒画像部とに区分する方法は、既知のものとして詳細な説明は省略する。例えば、原稿読取部２１０から受け取った非圧縮のビットマップデータにおいて、各画素の３原色データを色相、彩度、明度に変換し、画像全体における色相、彩度、明度の分布から、あらかじめ設定された閾値と比較することにより、該閾値以上の領域をカラー画像部と判定する。
【００３０】
また、カラー画像領域の位置情報ファイルの生成方法は、既知のものとして詳細な説明は省略する。例えば、図６に示すように、原稿読取部２１０から受け取った非圧縮のビットマップデータの左上の画素を原点とするＸおよびＹ座標や、該原点からのオフセット量を用いて、カラー画像領域の開始位置を指定することができる。
【００３１】
さらに、白黒二値画像データに変換する方法は、既知のものとして詳細な説明は省略する。例えば、原稿読取部２１０から受け取った非圧縮のビットマップデータにおいて、各画素の３原色データを色相、彩度、明度に変換したのち、明度のみに注目して、ある閾値を上まわる画素を白、下まわる画素を黒とする。
【００３２】
外部記憶装置３００は、通信ポート３３０を介して画像読取装置２００から白黒画像ファイル、カラー画像ファイルおよび位置情報ファイルを受信した場合、ＯＳ３１０上で動作する専用ソフトウェア３２０を用いて、白黒画像ファイルから白黒画像を、カラー画像ファイルからカラー画像を生成する。さらに、外部記憶装置３００は、受信した位置情報ファイルに基づいて、生成した白黒画像の該当位置に生成したカラー画像を挿入し、これらを合成して原稿の画像データを生成する。
【００３３】
本実施形態に係る画像情報送信システム１００の動作について説明する。本実施形態に係る画像情報送信システム１００において、画像読取装置２００が外部記憶装置３００へ、カラー画像と白黒画像とを含んだ原稿の画像データを送信する手順について説明する。本実施形態に係る画像情報送信システム１００の動作フローの一例を図７に、一連の動作フローを模式的に示した図の一例を図８に示す。
【００３４】
ユーザが、図８に示すようなカラー画像と白黒画像とを含んだ画像データを有する原稿を、画像読取装置２００の所定位置にセットして読み取り開始を指示した時、画像読取装置２００の原稿読取部２１０は、セットされた原稿の画像データをカラー読取りし、原稿の非圧縮のビットマップデータとして画像処理部２２０へ出力する（ステップＳ１０１）。
【００３５】
画像処理部２２０は、原稿読取部２１０から原稿の非圧縮のビットマップデータを受け取った時、受け取ったビットマップデータをカラー画像部と白黒画像部とに区分し、区分したカラー画像部を矩形で包含してカラー画像領域として設定する（ステップＳ１０２）。例えば、画像処理部２２０は、各画素の３原色データを、あらかじめ設定された閾値と比較し、閾値以上の画素が多く含まれる領域をカラー画像部、それ以外を白黒画像部とする。
【００３６】
また、画像処理部２２０は、設定したカラー画像領域の開始画素位置および終了画素位置を位置情報ファイルとして、設定したカラー画像領域の非圧縮のビットマップデータをカラー画像ファイルとして生成する（ステップＳ１０３）。
【００３７】
さらに、画像処理部２２０は、原稿の非圧縮のビットマップデータにおいて設定したカラー画像領域を白ベタに置換し、置換後の原稿の非圧縮のビットマップデータを白黒二値画像データに変換することにより、白黒画像ファイルを生成する（ステップＳ１０４）。
【００３８】
その後、画像読取装置２００は、通信ポート２３０を用いて、図８に示すように、白黒画像ファイル、カラー画像ファイルおよび位置情報ファイルを、原稿の画像情報として外部記憶装置３００へ送信する（ステップＳ１０５）。
【００３９】
外部記憶装置３００は、画像読取装置２００から原稿の画像情報を受信した時（ステップＳ１０６）、ＯＳ３１０上で動作する専用ソフトウェア３２０を用いて、白黒画像ファイルを用いて原稿の白黒画像を生成すると共にカラー画像ファイルを用いてカラー画像領域のカラー画像を生成する（ステップＳ１０７）。さらに、外部記憶装置３００は、受信した位置情報ファイルを用いて、生成した白黒画像へカラー画像を挿入して合成し、図８に示すような、原稿の画像データを生成する（ステップＳ１０８）。
【００４０】
上述の画像情報送信システム１００において、画像読取装置２００は、カラー画像領域内の画素データを白を示すデータに置換した後で、原稿の非圧縮のビットマップデータを白黒二値画像データに変換することにより、外部記憶装置３００へ送信するデータのサイズを小さくすることができる。そして、該カラー画像領域内の画素データを、別途、非圧縮の状態で送信することにより、外部記憶装置３００において、カラー画像領域のカラー画像を高解像度を維持したまま再生することができる
さらに、カラー画像領域内の画素データを白ベタに置換する場合、カラー画像領域の周辺領域の画像データ等を考慮することなく、単純に置換処理することができる。さらに、模様が施された領域に挿入する場合は挿入するカラー画像が背景の状態に影響されるのに対し、該白ベタ領域にカラー画像を挿入する場合は挿入するカラー画像が背景の状態に影響されることがない。
【００４１】
以上のように、本実施形態に係る画像情報送信システム１００は、カラー画像の解像度をそのまま維持した状態で再生することができると共に、送信する画像情報のサイズを小さくすることができる。さらに、非圧縮データのカラー画像部のデータを白ベタに置換した後で白黒二値画像データに変換する場合、処理が単純であり、合成時にカラー画像の非圧縮データを白黒画像の白ベタ部（カラー画像領域）へ挿入するだけで、元の画像データを再現することができる。
【００４２】
ここで、外部記憶装置３００としては、主としてパソコンが想定されるが、これに代わる他のハードウェアであってもよい。また、カラー画像データおよび白黒二値データを読み出して合成する手段は、専用ソフトウェア３２０を用いることに限らず、ハードウェア自体が該動作を行っても良い。
【００４３】
また、本実施形態に係る画像読取装置２００は白黒画像ファイル、カラー画像ファイルおよび位置情報ファイルを送信し、外部記憶装置３００はそれらを用いて白黒画像とカラー画像とを合成して原稿の画像データを生成したが、これに限定されない。例えば、図９に示すように、外部記憶装置３００は、受信した３つのファイルのうち、カラー画像ファイルのみを用いてカラー画像を生成することもできる。また、外部記憶装置３００が白黒画像ファイルのみを用いてカラー画像領域が白ベタに加工された白黒画像を生成することもできる。
【００４４】
さらに、画像読取装置２００が白黒画像ファイルまたはカラー画像ファイルのみ外部記憶装置３００に送信することもできる。画像読取装置２００がカラー画像ファイルのみ送信する場合、送信するカラー画像のデータに適宜余白を付加することで、任意のサイズの画像データとして送信することもできる。
【００４５】
さらに、本実施形態では、カラー画像領域内の画素データを白ベタに置換した非圧縮のビットマップデータを、白黒二値画像データに変換にしたが、これに限定されない。例えば、白黒二値データではなく、ＪＰＥＧ等のカラー高圧縮データ形式に変換することもできる。ＪＰＥＧ等のカラー高圧縮データ形式は、画像の内容や圧縮率に依るものの、データ量が白黒二値の非圧縮データよりも小さくできる場合がある。
【００４６】
カラー画像領域内の画素データを白ベタに置換した非圧縮のビットマップデータを、ＪＰＥＧ等のカラー高圧縮データ形式に変換して外部記憶装置３００へ送信する場合、外部記憶装置３００は、受信したＪＰＥＧ等のカラー高圧縮データ形式のデータをビットマップ形式のデータに戻し、カラー画像と合成する。
【００４７】
この場合、色のついた文字など、カラーではあってもカラー画像部と区分されない可能性が比較的高い部分を色のついた文字等として再現させることができる。
【００４８】
（第３の実施形態）
第３の実施形態について説明する。本実施形態では、第２の実施形態で説明した画像情報送信システム１００を用いて、Ａ４サイズ１ページの原稿を画像読取装置２００で読み取り、外部記憶装置３００において読み取った原稿の画像データを生成する場合について説明する。
【００４９】
以下、Ａ４サイズ１ページの原稿の縦横寸法が８．２７×１１．６９ｉｎｃｈ、ドット密度が６００ｄｐｉ、原稿内に１２７×８９ｍｍ＝５×３．５ｉｎｃｈサイズのＬ版相当のカラー画像が存在し、それ以外は文字で構成されている場合について説明する。この場合、原稿の画素数は４９６２×７０１４ｄｏｔ、カラー画像の画素数は３０００×２１０２ｄｏｔとなる。
【００５０】
上述のカラー画像を含んだ原稿の画像データをそのままカラー画像データとして送信する場合、画像読み取りにおける一般的なフルカラーの場合、一つの画素に２５６階調×３色＝８ｂｉｔ×３色＝２４ｂｉｔ＝３Ｂｙｔｅが当てられることから、４９６２×７０１４×３＝１０４４１９１２８Ｂｙｔｅ≒１０４ＭＢｙｔｅのサイズのカラー画像データを送信する必要がある。
【００５１】
一方、白黒二値のデータは１画素あたり１ｂｉｔ＝１／８Ｂｙｔｅであり、Ａ４サイズ１ページの原稿の白黒二値のデータは、４９６２×７０１４×（１／８）＝４３５０４３３．５Ｂｙｔｅ≒４．４ＭＢｙｔｅである。また、Ｌ版相当のカラー画像のデータサイズは、ドット密度が６００ｄｐｉの場合、３０００×２１０２×３＝１８９１８０００Ｂｙｔｅ≒１９ＭＢｙｔｅである。従って、Ｌ版相当のカラー画像のカラー画像ファイル（４．３５ＭＢｙｔｅ）と、カラー画像の画素データを白を示すデータに置換して白黒二値画像データに変換した白黒画像ファイル（１９ＭＢｙｔｅ）と、を送信する場合、送信するデータのサイズは、４．３５ＭＢｙｔｅ＋１９ＭＢｙｔｅ＝２３．４ＭＢｙｔｅとなる。
【００５２】
従って、本実施形態に係る画像情報送信システム１００は、原稿の画像データにおいて、該画像データをカラー画像データとして送信する場合と比較して、約８０．６Ｍｂｙｔｅ分のデータ量を削減することができる。さらに、外部記憶装置３００は、非圧縮の白黒画像ファイルおよび非圧縮のカラー画像ファイルを受信して画像データを生成することから、外部記憶装置３００において生成された画像データは、Ａ４、６００ｄｐｉのカラーとなり、従って、画像データ読み取り時の１０４ＭＢｙｔｅに等しくなる。
【符号の説明】
【００５３】
１０    画像情報送信システム
２０    画像情報読取装置
２１    画像読取手段
２２    区分手段
２３    変換手段
２４    出力手段
３０    画像情報受信装置
１００    画像情報送信システム
２００    画像読取装置
２１０    原稿読取部
２２０    画像処理部
２３０    通信ポート
３００    外部記憶装置
３１０    ＯＳ
３２０    専用ソフトウェア
３３０    通信ポート
【図１】
2012227776.tif 000003
【図２】
2012227776.tif 000004
【図３】
2012227776.tif 000005
【図４】
2012227776.tif 000006
【図５】
2012227776.tif 000007
【図６】
2012227776.tif 000008
【図７】
2012227776.tif 000009
【図８】
2012227776.tif 000010
【図９】
2012227776.tif 000011